(57)【要約】【課題】デジタルオーディオ放送またはアナログオーディオ放送を受信可能な周波数の探索をより迅速に行う「ラジオ放送受信装置」を提供する。【解決手段】3kHz間隔の周波数のSメータ値を検出し、Sメータ値がしきい値Th以上のSメータ値が連続して検出された周波数範囲内において、デジタルオーディオ放送が放送される可能性のある1kHz間隔の周波数の各々についてデジタルオーディオ放送を受信できているかどうか調べ、デジタルオーディオ放送を受信できている周波数をデジタルオーディオ放送を受信可能な周波数として登録する。また、しきい値Th以上のSメータ値が検出されたアナログオーディオ放送が放送される可能性のある周波数であって、Sメータ値がしきい値Th以上のSメータ値が連続して検出された周波数範囲外にある周波数を、アナログオーディオ放送を受信可能な周波数として登録する。【選択図】図６
2018125644.tif 000002
【特許請求の範囲】
【請求項１】
所定の放送周波数帯域内において、Ｆ０を所定の基準周波数とし、Ｆｓを所定の周波数ステップ幅、Ｎを整数として、Ｆ０+（Ｎ×Ｆｓ）で表される周波数のチャネルで放送される、帯域幅がＷのデジタルオーディオ放送を受信するラジオ放送受信装置であって、
放送を受信可能なチャネルの周波数を探索する制御手段と、
前記制御手段から受信周波数として設定された周波数のチャネルを受信する受信手段と、
前記受信手段が受信している受信周波数のチャネルの電界強度を検出する電界強度検出手段と、
前記受信手段が受信している受信周波数のチャネルでのデジタルオーディオ放送の受信の可否を判定する受信可否判定手段とを有し、
前記制御手段は、
前記放送周波数帯域内の、所定の周波数ステップＳ（但し、Ｗ／２＞Ｓ）ずつ離れた各周波数を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、
取得した電界強度が所定のしきい値以上であった周波数が複数連続している周波数の区間を、デジタルオーディオ放送サーチ区間として設定し、各デジタルオーディオ放送サーチ区間に含まれるＦ０+（Ｎ×Ｆｓ）で表される各周波数を前記受信周波数として前記受信手段に受信させると共に、前記受信可否判定手段によって、チャネルでのデジタルオーディオ放送の受信が可であると判定された受信周波数に設定した周波数をデジタルオーディオ放送を受信可能なチャネルの周波数として設定することを特徴とするラジオ放送受信装置。
【請求項２】
請求項１記載のラジオ放送受信装置であって、
前記所定の放送周波数帯域内において、受信可能時に２×Ｓ未満の帯域幅内のみにおいて受信電界強度が所定レベル以上となるアナログオーディオ放送が、ＦＡｓ（但し、Ｍを２以上の整数として、ＦＡｓ＝Ｍ×Ｆｓ）を所定の周波数ステップ幅として、Ｆ０+（Ｎ×ＦＡｓ）で表される周波数のチャネルで放送されており、
当該ラジオ放送受信装置は、前記デジタルオーディオ放送に加えアナログオーディオ放送を受信し、
前記制御手段は、前記電界強度検出手段から取得した電界強度が前記所定のレベル以上であった、Ｆ０+（Ｎ×ＦＡｓ）で表される周波数であって、前記デジタルオーディオ放送サーチ区間に含まれない周波数をアナログオーディオ放送を受信可能なチャネルの周波数として設定することを特徴とするラジオ放送受信装置。
【請求項３】
請求項１記載のラジオ放送受信装置であって、
前記所定の放送周波数帯域内において、受信可能時に２×Ｓ未満の帯域幅内のみにおいて受信電界強度が所定レベル以上となるアナログオーディオ放送が、ＦＡ０を所定の基準周波数、ＦＡｓを所定の周波数ステップ幅として、ＦＡ０+（Ｎ×ＦＡｓ）で表される周波数のチャネルで放送されており、
当該ラジオ放送受信装置は、前記デジタルオーディオ放送に加えアナログオーディオ放送を受信し、
前記制御手段は、
前記放送周波数帯域内の、ＦＡ０+（Ｎ×ＦＡｓ）で表される周波数のうちの、電界強度を取得していない周波数の各々を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、
前記電界強度検出手段から取得した電界強度が所定のレベル以上であった、ＦＡ０+（Ｎ×ＦＡｓ）で表される周波数であって、前記デジタルオーディオ放送サーチ区間に含まれない周波数をアナログオーディオ放送を受信可能なチャネルの周波数として設定することを特徴とするラジオ放送受信装置。
【請求項４】
所定の放送周波数帯域内において、Ｆ０を所定の基準周波数とし、Ｆｓを所定の周波数ステップ幅、Ｎを整数として、Ｆ０+（Ｎ×Ｆｓ）で表される周波数のチャネルで放送される、帯域幅がＷのデジタルオーディオ放送と、ＦＡ０を所定の基準周波数、ＦＡｓを所定の周波数ステップ幅として、ＦＡ０+（Ｎ×ＦＡｓ）で表される周波数のチャネルで放送される、受信可能時に２×Ｓ未満の帯域幅内のみにおいて受信電界強度が所定レベル以上となるアナログオーディオ放送とを受信するラジオ放送受信装置であって、
放送を受信可能なチャネルの周波数を探索する制御手段と、
前記制御手段から受信周波数として設定された周波数のチャネルを受信する受信手段と、
前記受信手段が受信している受信周波数のチャネルの電界強度を検出する電界強度検出手段と、
前記受信手段が受信している受信周波数のチャネルでのデジタルオーディオ放送の受信の可否を判定する受信可否判定手段とを有し、
前記制御手段は、前記放送周波数帯域内の、ＦＡ０+（Ｎ×ＦＡｓ）で表される各周波数を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、
前記電界強度検出手段から取得した電界強度が前記所定のレベル以上であった、ＦＡ０+（Ｎ×ＦＡｓ）で表される周波数から予め定めたオフセット周波数離れた周波数の各々を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、
前記電界強度が所定のレベル以上であった、ＦＡ０+（Ｎ×ＦＡｓ）で表される周波数のうちの、取得した当該周波数から前記オフセット周波数離れた全ての周波数の電界強度が所定値未満であった周波数をアナログオーディオ放送を受信可能なチャネルの周波数として設定し、
前記放送周波数帯域内の、所定の周波数ステップＳ（但し、Ｗ／２＞Ｓ）ずつ離れた周波数のうちの電界強度を取得していない周波数の各々を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、
取得した電界強度が所定のしきい値以上であった周波数が複数連続している周波数の区間を、デジタルオーディオ放送サーチ区間として設定し、各デジタルオーディオ放送サーチ区間に含まれるＦ０+（Ｎ×Ｆｓ）で表される各周波数を前記受信周波数として前記受信手段に受信させると共に、前記受信可否判定手段によって、チャネルでのデジタルオーディオ放送の受信が可であると判定された受信周波数に設定した周波数をデジタルオーディオ放送を受信可能なチャネルの周波数として設定することを特徴とするラジオ放送受信装置。
【請求項５】
所定の放送周波数帯域内において、Ｆ０を所定の基準周波数とし、Ｆｓを所定の周波数ステップ幅、Ｎを整数として、Ｆ０+（Ｎ×Ｆｓ）で表される周波数のチャネルで放送される、帯域幅がＷのデジタルオーディオ放送を受信するラジオ放送受信装置において、放送を受信可能なチャネルの周波数を探索する受信可能放送探索方法であって、
前記ラジオ放送受信装置において、前記放送周波数帯域内の、所定の周波数ステップＳ（但し、Ｗ／２＞Ｓ）ずつ離れた各周波数を受信し、当該周波数のチャネルの電界強度を検出するステップと、
前記ラジオ放送受信装置において、取得した電界強度が所定のしきい値以上であった周波数が複数連続している周波数の区間を、デジタルオーディオ放送サーチ区間として設定し、各デジタルオーディオ放送サーチ区間に含まれるＦ０+（Ｎ×Ｆｓ）で表される各周波数を受信し、当該周波数のチャネルでのデジタルオーディオ放送の受信が可である場合に、当該周波数をデジタルオーディオ放送を受信可能なチャネルの周波数として設定するステップとを有することを特徴とする受信可能放送探索方法。
【発明の詳細な説明】
【技術分野】
【０００１】
本発明は、同周波数帯域内で放送されるデジタルオーディオ放送とアナログオーディオ放送を受信するラジオ放送受信装置に関するものである。
【背景技術】
【０００２】
同周波数帯域内で放送されるデジタルオーディオ放送とアナログオーディオ放送を受信するラジオ放送受信装置としては、ＡＭ変調されたアナログ音声放送とＤＲＭ（Digital Radio Mondiale）によるデジタル音声放送とを受信するラジオ放送受信装置が知られている（たとえば、特許文献１）。
【０００３】
また、このようなＡＭ変調されたアナログ音声放送とＤＲＭによるデジタル音声放送とを受信するラジオ放送受信装置において、放送を受信可能な周波数を探索するサーチを行う技術も知られている（たとえば、特許文献２）。ここで、この技術では、ＤＲＭによるデジタル音声放送の帯域幅が、アナログ音声放送の帯域幅よりも大きくなることを利用して、受信電界強度が高い周波数のうち、その周波数に所定のオフセット（たとえば、５kHz）を加減した周波数の受信電界強度が低い周波数をアナログ音声放送が行われている周波数として検出し、受信電界強度が高い周波数のうち、その周波数に所定のオフセット（たとえば、５kHz）を加減した周波数の受信電界強度が高い周波数をＤＲＭによるデジタル音声放送が行われている周波数として検出している。
【先行技術文献】
【特許文献】
【０００４】
【特許文献１】特開２０１６-１２７４８４号公報
【特許文献２】特開２００８-２２７９０１号公報
【発明の概要】
【発明が解決しようとする課題】
【０００５】
上述したＡＭ変調されたアナログ音声放送とＤＲＭによるデジタル音声放送とを受信するラジオ放送受信装置において、受信可能な放送局を探索するサーチを行う技術によれば、受信可能なＤＲＭによるデジタル音声放送が行われている周波数を探索する場合には、少なくともＤＲＭによるデジタル音声放送が行われる可能性のある全ての周波数について受信電界強度の検出を行う必要があるが、ＤＲＭによるデジタル音声放送が配置される可能性のある周波数の数は、アナログ音声放送が配置される可能性のある周波数の数に比べ多数となるため、受信可能な放送局の探索を迅速に行うことが困難となる。
【０００６】
また、この技術によれば、受信電界強度のみに基づいてＤＲＭによるデジタル音声放送が行われている周波数を検出しているが、受信電界強度が良好であってもデジタル音声放送のデータを正しく復調できない場合があるため、必ずしも正確に受信可能なデジタル音声放送が行われている周波数を検出することができない。
【０００７】
一方、より正確にデジタル音声放送が行われている周波数を検出するためには、当該周波数のデジタル音声放送のデータやデータフレームとの同期の確立の有無や、伝送誤りのエラーレートに応じて、当該周波数のデジタル音声放送を正しく受信できるかどうかを判定すれば良いが、このようにした場合には、受信電界強度のみからデジタル音声放送が行われている周波数を検出する場合に比べ、より長い時間を、受信可能なデジタル音声放送が行われている周波数の検出に時間を要することとなり、受信可能な放送局の探索を迅速に行うことがさらに困難となる。
【０００８】
そこで、本発明は、同周波数帯域内で放送されるデジタルオーディオ放送とアナログオーディオ放送を受信するラジオ放送受信装置において、放送を受信可能な周波数を探索するサーチを、より迅速に行うことを課題とする。
【課題を解決するための手段】
【０００９】
前記課題達成のために、本発明は、所定の放送周波数帯域内において、Ｆ０を所定の基準周波数とし、Ｆｓを所定の周波数ステップ幅、Ｎを整数として、Ｆ０+（Ｎ×Ｆｓ）で表される周波数のチャネルで放送される、帯域幅がＷのデジタルオーディオ放送を受信するラジオ放送受信装置として、放送を受信可能なチャネルの周波数を探索する制御手段と、前記制御手段から受信周波数として設定された周波数のチャネルを受信する受信手段と、前記受信手段が受信している受信周波数のチャネルの電界強度を検出する電界強度検出手段と、前記受信手段が受信している受信周波数のチャネルでのデジタルオーディオ放送の受信の可否を判定する受信可否判定手段とを備えたラジオ放送受信装置を提供する。但し、前記制御手段は、前記放送周波数帯域内の、所定の周波数ステップＳ（但し、Ｗ／２＞Ｓ）ずつ離れた各周波数を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、取得した電界強度が所定のしきい値以上であった周波数が複数連続している周波数の区間を、デジタルオーディオ放送サーチ区間として設定し、各デジタルオーディオ放送サーチ区間に含まれるＦ０+（Ｎ×Ｆｓ）で表される各周波数を前記受信周波数として前記受信手段に受信させると共に、前記受信可否判定手段によって、チャネルでのデジタルオーディオ放送の受信が可であると判定された受信周波数に設定した周波数をデジタルオーディオ放送を受信可能なチャネルの周波数として設定するものである。
【００１０】
ここで、このようなラジオ放送受信装置は、前記所定の放送周波数帯域内において、受信可能時に２×Ｓ未満の帯域幅内のみにおいて受信電界強度が所定レベル以上となるアナログオーディオ放送が、ＦＡｓ（但し、Ｍを２以上の整数として、ＦＡｓ＝Ｍ×Ｆｓ）を所定の周波数ステップ幅として、Ｆ０+（Ｎ×ＦＡｓ）で表される周波数のチャネルで放送されている場合には、前記デジタルオーディオ放送に加えアナログオーディオ放送を受信するものとして構成してもよい。また、この場合には、前記制御手段において、前記電界強度検出手段から取得した電界強度が前記所定のレベル以上であった、Ｆ０+（Ｎ×ＦＡｓ）で表される周波数であって、前記デジタルオーディオ放送サーチ区間に含まれない周波数をアナログオーディオ放送を受信可能なチャネルの周波数として設定するようにしてもよい。
【００１１】
また、このようなラジオ放送受信装置は、前記所定の放送周波数帯域内において、受信可能時に２×Ｓ未満の帯域幅内のみにおいて受信電界強度が所定レベル以上となるアナログオーディオ放送が、ＦＡ０を所定の基準周波数、ＦＡｓを所定の周波数ステップ幅として、ＦＡ０+（Ｎ×ＦＡｓ）で表される周波数のチャネルで放送されている場合には、前記デジタルオーディオ放送に加えアナログオーディオ放送を受信するものとして構成してもよい。また、この場合には、前記制御手段において、前記放送周波数帯域内の、ＦＡ０+（Ｎ×ＦＡｓ）で表される周波数のうちの、電界強度を取得していない周波数の各々を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、前記電界強度検出手段から取得した電界強度が前記所定のレベル以上であった、ＦＡ０+（Ｎ×ＦＡｓ）で表される周波数であって、前記デジタルオーディオ放送サーチ区間に含まれない周波数をアナログオーディオ放送を受信可能なチャネルの周波数として設定するようにしてもよい。
【００１２】
また、前記課題達成のために、本発明は、所定の放送周波数帯域内において、Ｆ０を所定の基準周波数とし、Ｆｓを所定の周波数ステップ幅、Ｎを整数として、Ｆ０+（Ｎ×Ｆｓ）で表される周波数のチャネルで放送される、帯域幅がＷのデジタルオーディオ放送と、ＦＡ０を所定の基準周波数、ＦＡｓを所定の周波数ステップ幅として、ＦＡ０+（Ｎ×ＦＡｓ）で表される周波数のチャネルで放送される、受信可能時に２×Ｓ未満の帯域幅内のみにおいて受信電界強度が所定レベル以上となるアナログオーディオ放送とを受信するラジオ放送受信装置として、放送を受信可能なチャネルの周波数を探索する制御手段と、前記制御手段から受信周波数として設定された周波数のチャネルを受信する受信手段と、前記受信手段が受信している受信周波数のチャネルの電界強度を検出する電界強度検出手段と、前記受信手段が受信している受信周波数のチャネルでのデジタルオーディオ放送の受信の可否を判定する受信可否判定手段とを備えたラジオ放送受信装置を提供する。但し、前記制御手段は、前記放送周波数帯域内の、ＦＡ０+（Ｎ×ＦＡｓ）で表される各周波数を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、前記電界強度検出手段から取得した電界強度が前記所定のレベル以上であった、ＦＡ０+（Ｎ×ＦＡｓ）で表される周波数から予め定めたオフセット周波数離れた周波数の各々を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、前記電界強度が所定のレベル以上であった、ＦＡ０+（Ｎ×ＦＡｓ）で表される周波数のうちの、取得した当該周波数から前記オフセット周波数離れた全ての周波数の電界強度が所定値未満であった周波数をアナログオーディオ放送を受信可能なチャネルの周波数として設定し、前記放送周波数帯域内の、所定の周波数ステップＳ（但し、Ｗ／２＞Ｓ）ずつ離れた周波数のうちの電界強度を取得していない周波数の各々を前記受信周波数として設定し、設定した受信周波数のチャネルを前記受信手段に受信させると共に、当該受信周波数のチャネルの電界強度を当該受信周波数として設定した周波数の電界強度として前記電界強度検出手段から取得し、取得した電界強度が所定のしきい値以上であった周波数が複数連続している周波数の区間を、デジタルオーディオ放送サーチ区間として設定し、各デジタルオーディオ放送サーチ区間に含まれるＦ０+（Ｎ×Ｆｓ）で表される各周波数を前記受信周波数として前記受信手段に受信させると共に、前記受信可否判定手段によって、チャネルでのデジタルオーディオ放送の受信が可であると判定された受信周波数に設定した周波数をデジタルオーディオ放送を受信可能なチャネルの周波数として設定するものである。
【００１３】
ここで、周波数ステップＳは、デジタルオーディオ放送の帯域幅Ｗの半分未満に設定されているので、受信可能なデジタルオーディオ放送の周波数を含む範囲において、電界強度が所定のしきい値以上となるステップＳずつ離れた周波数が複数連続することとなる。
【００１４】
したがって、以上のようなラジオ放送受信装置によれば、放送周波数帯域内の所定の周波数ステップＳずつ離れた各周波数の電界強度から算定した、電界強度が所定のしきい値以上であった周波数が複数連続している周波数の区間であるデジタルオーディオ放送サーチ区間として、受信可能なデジタルオーディオ放送の周波数が存在する範囲を絞り込むことができる。そして、絞り込んだデジタルオーディオ放送サーチ区間内のデジタルオーディオ放送が行われ得る周波数についてのみ、デジタルオーディオ放送の受信の可否を調べて、受信可能なデジタルオーディオ放送を算定するので、放送周波数帯域内のデジタルオーディオ放送が行われ得る全ての周波数についてデジタルオーディオ放送の受信の可否を調べる場合に比べ、より迅速に受信可能なデジタルオーディオ放送の周波数の探索を行うことができることとなる。
【発明の効果】
【００１５】
以上のように、本発明によれば、同周波数帯域内で放送されるデジタルオーディオ放送とアナログオーディオ放送を受信するラジオ放送受信装置において、放送を受信可能な周波数を探索するサーチを、より迅速に行うことができる。
【図面の簡単な説明】
【００１６】
【図１】本発明の実施形態に係るラジオ放送受信装置の構成を示すブロック図である。
【図２】アナログ音声放送とデジタル音声放送の帯域幅を示す図である。
【図３】本発明の実施形態に係るサーチ処理を示すフローチャートである。
【図４】本発明の実施形態に係るサーチ処理の処理例を示す図である。
【図５】本発明の実施形態に係るサーチ処理を示すフローチャートである。
【図６】本発明の実施形態に係るサーチ処理の処理例を示す図である。
【発明を実施するための形態】
【００１７】
以下、本発明の実施形態について説明する。
図１に、本実施形態に係るラジオ放送受信装置の構成を示す。
ここで、本実施形態に係るラジオ放送受信装置は、自動車に搭載されるラジオ受信機やポータブルラジオ受信機などの、ラジオ放送受信装置の位置が変動するラジオ放送受信装置である。
【００１８】
そして、図示するように、ラジオ放送受信装置は、アンテナ１、ＲＦフロントエンド２、ＩＦ変換部３、デジタルオーディオ放送処理部４、アナログオーディオ放送処理部５、切替処理部６、アンプ７、スピーカ８、制御部９、記憶装置１０、表示装置１１、入力装置１２を備えている。
【００１９】
ＲＦフロントエンド２は、ＡＭ方式で変調されたアナログオーディオ放送とＤＲＭ（Digital Radio Mondiale）方式のデジタルオーディオ放送とが混在する帯域であるＡＭ周波数帯の周波数のうち、制御部９から受信周波数として設定された周波数のＲＦ信号を受信し、ＩＦ変換部３はＲＦ信号を受信信号を所定周波数の中間周波数信号ＩＦに変換する。
【００２０】
そして、アナログオーディオ放送処理部５は受信周波数がアナログ音声放送の周波数であった場合には、中間周波数信号ＩＦを検波して音声信号を生成し切替処理部６に送る。また、アナログオーディオ放送処理部５は中間周波数信号ＩＦの大きさより、受信周波数の受信電界強度をＳメータ値として算出し、制御部９に通知する。
【００２１】
一方、デジタルオーディオ放送処理部４は、受信周波数がＤＲＭ方式のデジタル音声放送の周波数であった場合には、中間周波数信号ＩＦからデジタルオーディオデータを復号し、デジタルオーディオデータが表す音声信号を生成して切替処理部６に送る。また、デジタルオーディオ放送処理部４は、中間周波数信号ＩＦが表す受信データや受信データフレームとの同期の確立状態や、受信データのエラーレート等を検出して制御部９に通知する。
【００２２】
そして、切替処理部６は、制御部９の制御に従って、受信周波数がアナログ音声放送の周波数であった場合にはアナログオーディオ放送処理部５から出力される音声信号を、受信周波数がＤＲＭ方式のデジタル音声放送の周波数であった場合にはデジタルオーディオ放送処理部４から出力される音声信号をアンプ７に出力し、アンプ７は切替処理部６から出力された音声信号を制御部９から設定されたゲインで増幅しスピーカ８に出力する。
【００２３】
さて、ここで、上述のように本実施形態に係るラジオ放送受信装置は、ＡＭ周波数帯に混在しているアナログオーディオ放送とＤＲＭ方式のデジタルオーディオ放送とを受信する。
【００２４】
また、アナログオーディオ放送は、所定の基準周波数をfA、mを整数として、fA+（m×9kHz）で表される周波数のチャネルにおいて行われる可能性があるものとする。
一方、ＤＲＭ方式のデジタルオーディオ放送は、LF帯（148kHz-283kHz)では、所定の基準周波数をfL、mを整数としてfL+（m×3kHz）、MF帯(525kHz-1710kHz)では、所定の基準周波数をfM、mを整数としてfM+（m×1kHz）、HF帯(2300kHz-27000kHz)では、所定の基準周波数をfH、mを整数としてfH+（m×5kHz）で表される周波数のチャネルにおいて行われる可能性があるものとする。なお、fA、fL、fM、fHは、同じ値であってもよい、
【００２５】
次に、図２は、本実施形態において受信の対象とするアナログオーディオ放送とＤＲＭ方式のデジタルオーディオ放送の帯域幅を示したものである。
図示した例は、539kHzの周波数のチャネルでアナログオーディオ放送が行われており、548kHzの周波数のチャネルでＤＲＭ方式のデジタルオーディオ放送が行われている場合を示している。
【００２６】
ここで、図２の横軸は周波数であり、縦軸は電界強度である。
図示するように、アナログオーディオ放送は、中心周波数に急峻なピークを有する略三角形の包絡線を有し、電界強度が所定のしきい値Th以上となる帯域幅は6kHz未満となる。
また、ＤＲＭ方式のデジタルオーディオ放送は、9kHzから10kHzの帯域幅を有する略矩形の包絡線を有し、電界強度がしきい値Th以上となる帯域幅は6kHz以上となる。
さて、このようなラジオ放送受信装置において、記憶装置１０には、放送を受信可能な周波数を登録したステーションリストが格納されている。
そして、制御部９は、ステーションリストに、放送を受信可能な周波数を登録するために、以下に示すサーチ処理を実行する。
図３に、このサーチ処理の手順を示す。
図示するように、制御部９はサーチ処理において、まず、基本周波数fAから9kHzステップ毎の各周波数を第１段階サーチ対象周波数として、各第１段階サーチ対象周波数を順次受信し、各周波数のSメータ値を保存する（ステップ３０２）。
【００２７】
すなわち、制御部９は、ステップ３０２において、受信周波数をＡＭ周波数帯内において基準周波数fAから9kHzずつ順次増加させながら、各受信周波数のＲＦ信号をＲＦフロントエンド２に受信させると共に、受信周波数についてアナログオーディオ放送処理部５が検出したＳメータ値の通知を受けて当該受信周波数と対応づけて記憶装置１０に保存する。
【００２８】
そして、次に、第１段階サーチ対象周波数のうちのSメータ値が、上述したしきい値Th以上であった周波数から±3kHz離れた周波数を順次受信し、各周波数のSメータ値を保存する（ステップ３０４）
すなわち、ステップ３０４では、第１段階サーチ対象周波数のうちのSメータ値がしきい値Th以上であった各周波数Fについて、F+3kHzの周波数と、F-3kHzの周波数を順次、受信周波数に設定して、各受信周波数のＲＦ信号をＲＦフロントエンド２に受信させると共に、受信周波数についてアナログオーディオ放送処理部５が検出したＳメータ値の通知を受けて当該受信周波数と対応づけて記憶装置１０に保存する処理を行う。
【００２９】
そして、第１段階サーチ対象周波数のうちのSメータ値がしきい値Th以上である周波数であって、±3kHz離れた周波数のSメータ値が全てしきい値Th未満である周波数をアナログオーディオ放送周波数として記憶装置１０のステーションリストに登録する（ステップ３０６）。
【００３０】
次に、基準周波数fAから3kHzステップ毎の各周波数のうちのSメータ値を保存していない周波数、すなわち、基準周波数fAから3kHzステップ毎の各周波数のうちのステップ３０２、３０４でSメータ値を保存した周波数を除く周波数を第２段階サーチ対象周波数として、各第２段階サーチ対象周波数を順次受信し、各周波数のSメータ値を保存する（ステップ３０８）。
【００３１】
すなわち、制御部９は、ステップ３０８において、着目周波数をＡＭ周波数帯内において基準周波数fAから3kHzずつ順次増加させる。また、着目周波数がSメータ値を保存していない周波数となったならば、当該着目周波数を受信周波数に設定して、各受信周波数のＲＦ信号をＲＦフロントエンド２に受信させると共に、受信周波数についてアナログオーディオ放送処理部５が検出したＳメータ値の通知を受けて当該受信周波数と対応づけて記憶装置１０に保存する。
【００３２】
また、次に、ステップ３０２、３０４、３０８によって記憶装置１０に保存されている、基準周波数fAから3kHzステップ毎の各周波数をのSメータ値を参照し、複数の3kHzステップ毎の周波数の連続した（隣接した）範囲であって、当該範囲内の各3kHzステップ毎の周波数のSメータ値が全て所定のしきい値Th以上であったをデジタルオーディオ放送サーチ範囲として算定する（ステップ３１０）。
【００３３】
そして、基準周波数fLから3kHzステップ毎の周波数のうちの、LF帯に含まれるデジタルオーディオ放送サーチ範囲内の周波数を順次受信し、デジタルオーディオ放送を受信可能であった周波数を、デジタルオーディオ放送を受信可能な周波数であるデジタルオーディオ放送周波数として記憶装置１０のステーションリストに登録する（ステップ３１２）。
【００３４】
ここで、ステップ３１２において、制御部９は、LF帯に含まれるデジタルオーディオ放送サーチ範囲内の、fL+（m×3kHz）で表される最小の周波数からfL+（m×3kHz）で表される最大の周波数まで、受信周波数を3kHzずつ順次増加させながら、各受信周波数のＲＦ信号をＲＦフロントエンド２に受信させると共に、受信周波数についてデジタルオーディオ放送処理部４が、所定期間内に、受信データや受信データフレームとの同期を確立できたかどうかや、受信データの所定レベル以下のエラーレートを検出できたかどうかに応じて、当該受信周波数でデジタルオーディオ放送を受信可能であるかどうかを判定する。
【００３５】
そして、次に、基準周波数fMから1kHzステップ毎の周波数のうちの、MF帯に含まれるデジタルオーディオ放送サーチ範囲内の周波数を順次受信し、デジタルオーディオ放送を受信可能であった周波数を、デジタルオーディオ放送を受信可能な周波数であるデジタルオーディオ放送周波数として記憶装置１０のステーションリストに登録する（ステップ３１４）。
【００３６】
ここで、ステップ３１４において、制御部９は、MF帯に含まれるデジタルオーディオ放送サーチ範囲内の、fM+（m×1kHz）で表される最小の周波数からfM+（m×1kHz）で表される最大の周波数まで、受信周波数を1kHzずつ順次増加させながら、各受信周波数のＲＦ信号をＲＦフロントエンド２に受信させると共に、受信周波数についてデジタルオーディオ放送処理部４が、所定期間内に、受信データや受信データフレームとの同期を確立できたかどうかや、受信データの所定レベル以下のエラーレートを検出できたかどうかに応じて、当該受信周波数でデジタルオーディオ放送を受信可能であるかどうかを判定する。
【００３７】
また、次に、基準周波数fHから5kHzステップ毎の周波数のうちの、HF帯に含まれるデジタルオーディオ放送サーチ範囲内の周波数を順次受信し、デジタルオーディオ放送を受信可能であった周波数を、デジタルオーディオ放送を受信可能な周波数であるデジタルオーディオ放送周波数として記憶装置１０のステーションリストに登録する（ステップ３１６）。
【００３８】
ここで、ステップ３１６において、制御部９は、HF帯に含まれるデジタルオーディオ放送サーチ範囲内の、fH+（m×5kHz）で表される最小の周波数からfH+（m×5kHz）で表される最大の周波数まで、受信周波数を5kHzずつ順次増加させながら、各受信周波数のＲＦ信号をＲＦフロントエンド２に受信させると共に、受信周波数についてデジタルオーディオ放送処理部４が、所定期間内に、受信データや受信データフレームとの同期を確立できたかどうかや、受信データの所定レベル以下のエラーレートを検出できたかに応じて、当該受信周波数でデジタルオーディオ放送を受信可能であるかどうかを判定する。
【００３９】
そして、サーチ処理を終了する。
以上、制御部９が行うサーチ処理について説明した。
ここで、図４に、このようなサーチ処理による処理例を示す。
図４は、MF帯の530kHzから557kHzの間の周波数に対して行われるサーチ処理の例を示したものである。
また、この例は、539kHzの周波数のチャネルにおいてアナログオーディオ放送が行われており、551kHzの周波数のチャネルにおいてＤＲＭによるデジタルオーディオ放送が行われている場合についてのものである。
【００４０】
この場合、サーチ処理では、530kHzから557kHzの間の周波数に対しては、まず、図４ａに示すように、まず、530kHz、539kHz、548kHz、557kHzの、アナログオーディオ放送が放送される可能性のある9kHz間隔の周波数が順次、受信周波数に設定され、各周波数のSメータ値が検出される。そして、この場合、539kHzと548kHzに対してしきい値Th以上のSメータ値が検出される。
【００４１】
そして、530kHzから557kHzの間の周波数に対しては、次に、図４ｂに示すように、しきい値Th以上のSメータ値が検出された539kHzと548kHzから3kHz離れた536kHz、542kHz、545kHz、551kHzの周波数が順次、受信周波数に設定され、各周波数のSメータ値が検出される。
【００４２】
そして、539kHzと548kHzのうち、±3kHz離れた周波数のSメータ値の双方がしきい値Th未満である周波数として539kHzのみが検出され、539kHzがアナログオーディオ放送を受信可能な周波数であるアナログオーディオ放送周波数として記憶装置１０のステーションリストに登録される。
【００４３】
そして、530kHzから557kHzの間の周波数に対しては、次に、図４ｃに示すように、既にSメータ値を検出した530kHz、536kHz、539kHz、542kHz、545kHz、548kHz、551kHz、557kHzを除く、530kHzから557kHzの間の3kHz間隔の周波数533kHz、554kHzの周波数が順次、受信周波数に設定され、各周波数のSメータ値が検出される。
【００４４】
そして、この結果、しきい値Th以上のSメータ値が検出された548kHz、551kHz、554kHzの3kHz間隔の周波数が連続した範囲548kHz-554kHzが、デジタルオーディオ放送サーチ範囲として算定される。
そして、次に、545kHzから557kHzの間の周波数に対しては、図４ｃに示すように、548kHz-554kHzのデジタルオーディオ放送サーチ範囲内の、デジタルオーディオ放送が放送される可能性のある1kHz間隔の周波数548kHz、549kHz、550kHz、551kHz、552kHz、553kHz、554kHzの各々が順次、受信周波数に設定され、各周波数においてデジタルオーディオ放送のオーディオデータをデジタルオーディオ処理において受信できているかどうかが調べられる。そして、ここでは、551kHzにおいて、デジタルオーディオ放送が受信可能であることが検出され、551kHzがデジタルオーディオ放送を受信可能な周波数であるデジタルオーディオ放送周波数として記憶装置１０のステーションリストに登録される。
【００４５】
ここで、このように、図４に示した例においては、上述したMF帯の530kHzから557kHzの範囲において、アナログオーディオ放送が行われる可能性のある9kHz間隔の周波数と、デジタルオーディオ放送が行われる可能性のある1kHz間隔の周波数のうちからの、アナログオーディオ放送を受信可能な周波数とデジタルオーディオ放送を受信可能な周波数の検出を、サーチ処理によって、１０個の周波数の比較的処理時間が短くて済むＳメータ値の検出処理と、比較的長い処理時間が必要な７個の周波数についてのデジタルオーディオ放送を受信可能かどうかを調べる処理によって正確に行うことができる。
【００４６】
一方、もし、デジタルオーディオ放送が行われる可能性のある1kHz間隔の周波数の全てについてデジタルオーディオ放送を受信可能かどうかを調べる場合には、デジタルオーディオ放送を受信可能かどうかを調べる比較的時間のかかる処理を、530kHz-557kHzの間の1kHz間隔の２８個の周波数について行う必要がある。
【００４７】
よって、本サーチ処理によれば、アナログオーディオ放送とデジタルオーディオ放送を受信可能な周波数を正確に探索するサーチを、より迅速に行うことができる。
なお、以上のサーチ処理においては、ステップ３０８において第２段階サーチ対象周波数としてSメータ値を取得する周波数を基準周波数fAから3kHzステップ毎の各周波数としたが、このステップの値は、3kHz以外の、ＤＲＭ方式のデジタルオーディオ放送の帯域幅Ｗの半分の周波数Ｗ/２未満の値Ｓとしてもよい。このようにしても、デジタルオーディオ放送に対して、当該ステップ離れた２以上の連続する周波数においてしきい値以上の電界強度が得られるので、デジタルオーディオ放送サーチ範囲を適切に設定することができる。ただし、当該ステップの値Ｓは、受信可能なアナログオーディオ放送が、２×Ｓ未満の帯域幅内のみにおいて受信電界強度がしきい値Th以上となるように設定する。このようにしても、デジタルオーディオ放送に対して、当該ステップ離れた２以上の連続する周波数においてしきい値以上の電界強度が得られるので、デジタルオーディオ放送サーチ範囲を適切に設定することができる。
【００４８】
さて、図１に戻り、制御部９は、以上のようにして記憶装置１０に格納したステーションリストを用いて受信周波数を設定する処理も行う。
すなわち、たとえば、制御部９は、ステーションリストに登録されているアナログオーディオ放送周波数やデジタルオーディオ放送周波数の一覧を表示装置に表示し、入力装置を介してユーザによって選択されたアナログオーディオ放送周波数またはデジタルオーディオ放送周波数を受信周波数として、ＲＦフロントエンド２に設定し、当該受信周波数の放送で受信した放送がユーザに対して出力されるように、各部を制御する処理などを行う。または、入力装置を介してユーザから切替指示操作が入力されたときに、ステーションリストに登録されているデジタルオーディオ放送周波数やアナログオーディオ放送周波数のうちで、受信周波数としてＲＦフロントエンド２に受信させユーザに対して出力する放送の周波数を順次切り替える処理などを行う。
【００４９】
さて、ここで、このようなサーチ処理は、制御部９が、ユーザがラジオ放送受信装置を用いて放送を聴取していない期間中にバックグランドで行うようにしてよい。
ただし、ラジオ放送受信装置に、ＲＦフロントエンド２、ＩＦ変換部３、デジタルオーディオ放送処理部４、アナログオーディオ放送処理部５のセットをもう一系統設け、当該系統を用いて任意の期間にサーチ処理を行うようにしてもよい。
【００５０】
以上、本発明の実施形態について説明した。
ところで、以上の実施形態においてサーチ処理としては、図３に示したサーチ処理に代えて図５に示すサーチ処理を行うようにしてもよい。
すなわち、この場合には、制御部９は、まず、サーチ処理において、基準周波数fAから3kHzステップ毎の各周波数を順次受信し、各周波数のSメータ値を保存する（ステップ５０２）。
【００５１】
次に、ステップ５０２によって記憶装置１０に保存されている、基準周波数fAから3kHzステップ毎の各周波数をのSメータ値を参照し、複数の3kHzステップ毎の周波数の連続した（隣接した）範囲であって、当該範囲内の各3kHzステップ毎の周波数のSメータ値が全て所定のしきい値Th以上であったをデジタルオーディオ放送サーチ範囲として算定する（ステップ５０４）。
【００５２】
次に、基準周波数fAから9kHzステップ毎の各周波数のうちのSメータ値がしきい値Th以上であって、デジタルオーディオ放送サーチ範囲外にある周波数をアナログオーディオ放送を受信可能な周波数であるアナログオーディオ放送周波数として記憶装置１０のステーションリストに登録する（ステップ５０６）。
【００５３】
そして、基準周波数fLから3kHzステップ毎の周波数のうちの、LF帯に含まれるデジタルオーディオ放送サーチ範囲内の周波数を順次受信し、デジタルオーディオ放送を受信可能であった周波数を、デジタルオーディオ放送を受信可能な周波数であるデジタルオーディオ放送周波数として記憶装置１０のステーションリストに登録する（ステップ５０４）。
【００５４】
そして、次に、基準周波数fMから1kHzステップ毎の周波数のうちの、MF帯に含まれるデジタルオーディオ放送サーチ範囲内の周波数を順次受信し、デジタルオーディオ放送を受信可能であった周波数を、デジタルオーディオ放送を受信可能な周波数であるデジタルオーディオ放送周波数として記憶装置１０のステーションリストに登録する（ステップ５０６）。
【００５５】
また、次に、基準周波数fHから5kHzステップ毎の周波数のうちの、HF帯に含まれるデジタルオーディオ放送サーチ範囲内の周波数を順次受信し、デジタルオーディオ放送を受信可能であった周波数を、デジタルオーディオ放送を受信可能な周波数であるデジタルオーディオ放送周波数として記憶装置１０のステーションリストに登録する（ステップ５０８）。
【００５６】
そして、サーチ処理を終了する。
ここで、図６に、図５に示したサーチ処理による処理例を示す。
図６は、MF帯の530kHzから557kHzの間の周波数に対して行われるサーチ処理の例を示したものである。
また、この例は、539kHzの周波数のチャネルにおいてアナログオーディオ放送が行われており、548kHzの周波数のチャネルにおいてＤＲＭによるデジタルオーディオ放送が行われている場合についてのものである。
【００５７】
この場合、サーチ処理では、530kHzから557kHzの間の周波数に対しては、まず、図６ａに示すように、まず、530kHz、539kHz、548kHz、557kHzの、アナログオーディオ放送が放送される可能性のある9kHz間隔の周波数を含む、530kHzから557kHzの間の3kHz間隔の周波数530kHz、533kHz、536kHz、539kHz 542kHz、545kHz、548kHz、551kHz、554kHz、557kHzの周波数が順次、受信周波数に設定され、各周波数のSメータ値が検出される。そして、この場合、539kHz、545kHz、548kHz、551kHzに対してしきい値Th以上のSメータ値が検出される。
【００５８】
また、この結果、しきい値Th以上のSメータ値が検出された545kHz、548kHz、551kHzの3kHz間隔の周波数が連続した範囲545kHz-551kHzが、デジタルオーディオ放送サーチ範囲として算定される。
また、アナログオーディオ放送が放送される可能性のある9kHz間隔の周波数であってしきい値Th以上のSメータ値が検出された周波数539kHzと548kHzのうちの、デジタルオーディオ放送サーチ範囲外にある周波数539kHzが、アナログオーディオ放送を受信可能な周波数であるアナログオーディオ放送周波数として記憶装置１０のステーションリストに登録される。
【００５９】
次に、530kHzから557kHzの間の周波数に対しては、図６ｂに示すように、次に、算定された545kHz-551kHzのデジタルオーディオ放送サーチ範囲内の、デジタルオーディオ放送が放送される可能性のある1kHz間隔の周波数545kHz、546kHz、547kHz、548kHz、549kHz、550kHz、551kHzの各々が順次、受信周波数に設定され、各周波数においてデジタルオーディオ放送のオーディオデータをデジタルオーディオ処理において受信できているかどうかが調べられる。そして、ここでは、548kHzにおいて、デジタルオーディオ放送が受信可能であることが検出され、548kHzがデジタルオーディオ放送を受信可能な周波数であるデジタルオーディオ放送周波数として記憶装置１０のステーションリストに登録される。
【００６０】
ここで、このように、図６に示した例においても、図４に示した例と同様に、上述したMF帯の530kHzから557kHzの範囲において、アナログオーディオ放送が行われる可能性のある9kHz間隔の周波数と、デジタルオーディオ放送が行われる可能性のある1kHz間隔の周波数のうちからの、アナログオーディオ放送を受信可能な周波数とデジタルオーディオ放送を受信可能な周波数の検出を、サーチ処理によって、１０個の周波数の比較的処理時間が短くて済むＳメータ値の検出処理と、比較的長い処理時間が必要な７個の周波数についてのデジタルオーディオ放送を受信可能かどうかを調べる処理によって正確に行うことができる。
【００６１】
よって、本サーチ処理によっても、アナログオーディオ放送とデジタルオーディオ放送を受信可能な周波数を正確に探索するサーチを、より迅速に行うことができる。
なお、以上の図５のサーチ処理においても、ステップ５０２においてSメータ値を取得する周波数を基準周波数fAから3kHzステップ毎の各周波数としたが、このステップの値3kHzは一例であり、このステップの値は、3kHz以外の、ＤＲＭ方式のデジタルオーディオ放送の帯域幅Ｗの半分の周波数Ｗ/２未満の値Ｓとしてもよい。このようにしても、デジタルオーディオ放送に対して、当該ステップ離れた２以上の連続する周波数においてしきい値以上の電界強度が得られるので、デジタルオーディオ放送サーチ範囲を適切に設定することができる。ただし、当該ステップの値Ｓは、受信可能なアナログオーディオ放送が、２×Ｓ未満の帯域幅内のみにおいて受信電界強度がしきい値Th以上となるように設定する。
【符号の説明】
【００６２】
１…アンテナ、２…ＲＦフロントエンド、３…ＩＦ変換部、４…デジタルオーディオ放送処理部、５…アナログオーディオ放送処理部、６…切替処理部、７…アンプ、８…スピーカ、９…制御部、１０…記憶装置、１１…表示装置、１２…入力装置。
【図１】
2018125644.tif 000003
【図２】
2018125644.tif 000004
【図３】
2018125644.tif 000005
【図４】
2018125644.tif 000006
【図５】
2018125644.tif 000007
【図６】
2018125644.tif 000008